(57)【特許請求の範囲】
【請求項１】
信号対干渉及び雑音比を向上させる方法であって、
複数のサブキャリアのそれぞれのチャネル品質を決定する段階であって、各個々のサブキャリアのチャネル品質は、個々のサブキャリアの信号対干渉及び雑音比を該サブキャリアに割り当てられた電力により割ったものに等しい、段階、
前記複数のサブキャリアの部分集合に電力を割り当てる段階であって、該部分集合の各個々のサブキャリアは該部分集合に含まれない各個々のサブキャリアより良いチャネル品質を有する、段階、及び
前記部分集合の個々のサブキャリアのそれぞれで信号を送信する段階、
を有し、
前記部分集合に電力を割り当てる段階は、次式に基づいて前記部分集合の各サブキャリアに電力を割り当てる段階を有し、
ｐｉは前記部分集合のサブキャリアｉに割り当てられた電力であり、ＰＴは全てのサブキャリアに割り当てられた総電力であり、ｄｉは前記部分集合のサブキャリアｉのチャネル品質であり、ｄｋは前記部分集合のサブキャリアｋのチャネル品質であり、ｋは前記部分集合である、
【数１２】
0005794131.tif 000013
方法。
【請求項２】
前記部分集合は、前記複数のサブキャリアの全てを有する、
ことを特徴とする請求項１に記載の方法。
【請求項３】
前記複数のサブキャリアの部分集合に電力を割り当てる段階は、
前記複数のサブキャリアを該サブキャリアのそれぞれのチャネル品質の降順に並べ替えてサブキャリアの並べ替えられた集合を生成する段階、
下記の条件が真になるように、前記並べ替えられた集合の中のサブキャリアＫを決定する段階、及び
サブキャリアＫ及びサブキャリアＫより良いチャネル品質を有するサブキャリアに電力を割り当てる段階、
を有し、
ｄｋは前記サブキャリアＫのチャネル品質であり、ＰＴは全てのサブキャリアに割り当てられた総電力であり、ｄｉは前記並べ替えられた集合のサブキャリアｉのチャネル品質である、
ことを特徴とする請求項１に記載の方法。
【数１０】
0005794131.tif 000014
【請求項４】
前記サブキャリアＫを決定する段階は、前記並べ替えられた集合に二分探索法を実行する段階を有する、
ことを特徴とする請求項３に記載の方法。
【請求項５】
無線通信要素であって、
プロセッサ、及び
該プロセッサに通信可能に結合された送信経路、
を有し、
前記プロセッサは、
複数のサブキャリアのそれぞれのチャネル品質を決定し、各個々のサブキャリアのチャネル品質は、個々のサブキャリアの信号対干渉及び雑音比を該サブキャリアに割り当てられた電力により割ったものに等しく、
前記複数のサブキャリアの部分集合に電力を割り当て、該部分集合の各個々のサブキャリアは該部分集合に含まれない各個々のサブキャリアより良いチャネル品質を有する、
よう構成され、
前記送信経路は、
前記部分集合の個々のサブキャリアのそれぞれで信号を送信する、
よう構成され、
前記プロセッサは、次式に基づいて前記部分集合の各サブキャリアに電力を割り当てるよう更に構成され、
ｐｉは前記部分集合のサブキャリアｉに割り当てられた電力であり、ＰＴは全てのサブキャリアに割り当てられた総電力であり、ｄｉは前記部分集合のサブキャリアｉのチャネル品質であり、ｄｋは前記部分集合のサブキャリアｋのチャネル品質であり、ｋは前記部分集合である、
【数１４】
0005794131.tif 000015
ことを特徴とする無線通信要素。
【請求項６】
前記部分集合は、前記複数のサブキャリアの全てを有する、
ことを特徴とする請求項５に記載の無線通信要素。
【請求項７】
前記プロセッサは、
前記複数のサブキャリアを該サブキャリアのそれぞれのチャネル品質の降順に並べ替えてサブキャリアの並べ替えられた集合を生成し、
下記の条件が真になるように、前記並べ替えられた集合の中のサブキャリアＫを決定し、及び
サブキャリアＫ及びサブキャリアＫより良いチャネル品質を有するサブキャリアに電力を割り当てる、
よう更に構成され、
ｄｋは前記サブキャリアＫのチャネル品質であり、ＰＴは全てのサブキャリアに割り当てられた総電力であり、ｄｉは前記並べ替えられた集合のサブキャリアｉのチャネル品質である、
ことを特徴とする請求項５に記載の無線通信要素。
【数１０】
0005794131.tif 000016
【請求項８】
前記プロセッサは、
前記サブキャリアＫを決定するために、前記並べ替えられた集合に二分探索法を実行する、
よう更に構成される、
ことを特徴とする請求項７に記載の無線通信要素。
【請求項９】
信号対干渉及び雑音比を向上させるシステムであって、
複数のサブキャリアのそれぞれのチャネル品質を決定するロジックであって、各個々のサブキャリアのチャネル品質は、個々のサブキャリアの信号対干渉及び雑音比を該サブキャリアに割り当てられた電力により割ったものに等しい、ロジック、
前記複数のサブキャリアの部分集合に電力を割り当てるロジックであって、該部分集合の各個々のサブキャリアは該部分集合に含まれない各個々のサブキャリアより良いチャネル品質を有する、ロジック、及び
前記部分集合の個々のサブキャリアのそれぞれで信号を送信するロジック、
を有し、
前記部分集合に電力を割り当てるロジックは、次式に基づいて前記部分集合の各サブキャリアに電力を割り当てるロジックを有し、
ｐｉは前記部分集合のサブキャリアｉに割り当てられた電力であり、ＰＴは全てのサブキャリアに割り当てられた総電力であり、ｄｉは前記部分集合のサブキャリアｉのチャネル品質であり、ｄｋは前記部分集合のサブキャリアｋのチャネル品質であり、ｋは前記部分集合である、
【数１６】
0005794131.tif 000017
システム。
【請求項１０】
前記部分集合は、前記複数のサブキャリアの全てを有する、
ことを特徴とする請求項９に記載のシステム。
【請求項１１】
前記複数のサブキャリアの部分集合に電力を割り当てるロジックは、
前記複数のサブキャリアを該サブキャリアのそれぞれのチャネル品質の降順に並べ替えてサブキャリアの並べ替えられた集合を生成するロジック、
下記の条件が真になるように、前記並べ替えられた集合の中のサブキャリアＫを決定するロジック、
を有し、
ｄｋは前記サブキャリアＫのチャネル品質であり、ＰＴは全てのサブキャリアに割り当てられた総電力であり、ｄｉは前記並べ替えられた集合のサブキャリアｉのチャネル品質である、
ことを特徴とする請求項９に記載のシステム。
【数１０】
0005794131.tif 000018
【請求項１２】
前記サブキャリアＫを決定するロジックは、前記並べ替えられた集合に二分探索法を実行するロジックを有する、
ことを特徴とする請求項１１に記載のシステム。
【請求項１３】
コンピュータプログラムであって、プロセッサにより実行されると、該プロセッサに、
複数のサブキャリアのそれぞれのチャネル品質を決定する段階であって、各個々のサブキャリアのチャネル品質は、個々のサブキャリアの信号対干渉及び雑音比を該サブキャリアに割り当てられた電力により割ったものに等しい、段階、
前記複数のサブキャリアの部分集合に電力を割り当てる段階であって、該部分集合の各個々のサブキャリアは該部分集合に含まれない各個々のサブキャリアより良いチャネル品質を有する、段階、及び
前記部分集合の個々のサブキャリアのそれぞれで信号を送信する段階、
を実行させ、
前記コンピュータプログラムは、前記プロセッサにより実行されると、前記プロセッサに、次式に基づいて前記部分集合の各サブキャリアに電力を割り当てるよう更に構成され、
ｐｉは前記部分集合のサブキャリアｉに割り当てられた電力であり、ＰＴは全てのサブキャリアに割り当てられた総電力であり、ｄｉは前記部分集合のサブキャリアｉのチャネル品質であり、ｄｋは前記部分集合のサブキャリアｋのチャネル品質であり、ｋは前記部分集合である、
【数１８】
0005794131.tif 000019
コンピュータプログラム。
【請求項１４】
前記部分集合は、前記複数のサブキャリアの全てを有する、
ことを特徴とする請求項１３に記載のコンピュータプログラム。
【請求項１５】
前記コンピュータプログラムは、前記プロセッサにより実行されると、前記プロセッサに、
前記複数のサブキャリアを該サブキャリアのそれぞれのチャネル品質の降順に並べ替えてサブキャリアの並べ替えられた集合を生成し、
下記の条件が真になるように、前記並べ替えられた集合の中のサブキャリアＫを決定し、及び
サブキャリアＫ及びサブキャリアＫより良いチャネル品質を有するサブキャリアに電力を割り当てる、
よう更に構成され、
ｄｋは前記サブキャリアＫのチャネル品質であり、ＰＴは全てのサブキャリアに割り当てられた総電力であり、ｄｉは前記並べ替えられた集合のサブキャリアｉのチャネル品質である、
ことを特徴とする請求項１３に記載のコンピュータプログラム。
【数１０】
0005794131.tif 000020
【請求項１６】
前記コンピュータプログラムは、前記プロセッサにより実行されると、前記プロセッサに、
前記サブキャリアＫを決定するために、前記並べ替えられた集合に二分探索法を実行する、
よう更に構成される、
ことを特徴とする請求項１５に記載のコンピュータプログラム。
【発明の詳細な説明】
【技術分野】
【０００１】
本発明は、概して無線通信に関し、より詳細には、無線通信装置内のサブチャネル間の電力割り当てに関する。
【背景技術】
【０００２】
無線通信システムは、種々の電気通信システム、テレビジョン、ラジオ及び他のメディア・システム、データ通信ネットワーク及び他のシステムで用いられ、無線送信機及び無線受信器を用いて遠隔地点間で情報を伝達する。送信機は、通常、アンテナを用いて無線、テレビジョン又は他の電気通信のような電磁信号を伝搬する電子機器である。送信機は、屡々、無線周波数又は他の信号を受信し、所定の利得により該信号を増幅し、及び該増幅された信号を伝達する信号増幅器を有する。他方で、受信機は、通常、アンテナを用いて無線電磁信号を受信し処理する電子機器である。特定の例では、送信機及び受信機は通信機と称される単一の装置に結合されてもよい。
【０００３】
３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）  ａｎｄ  ＬＴＥ−Ａｄｖａｎｃｅｄ  ｓｔａｎｄａｒｄｓは、第４世代無線通信ネットワークの準拠規格である。ＬＴＥ及びＬＴＥ−Ａｄｖａｎｃｅｄは、無線通信機器のアップリンクのＰＨＹ層の基礎としてシングル・キャリア周波数分割多元接続（ＳＣ−ＦＤＭＡ）を用いる。ＳＣ−ＦＤＭＡは直交周波数分割多重（ＯＦＤＭ）の特別な種類である。
【０００４】
無線通信ネットワークは、種々の周波数で変調された信号（「チャネル」としても知られる）を結合するよう構成されてもよい。各異種チャネルは、無線通信ネットワークを通じて通信されるべきエンコードされた情報を有してもよい。各周波数（又はキャリア）は、周波数分割多重（ＦＤＭ）を用いて複数のサブキャリアを伝達してもよい。
【０００５】
直交周波数分割多重（ＯＦＤＭ）は、データを伝達するために複数の密集した直交するサブキャリアが用いられるＦＤＭ方式である。データは、サブキャリアを毎に１つの幾つかの並行するデータ・チャネルに分割される。ＯＦＤＭ変調は、従来のＦＤＭの場合のようにサブキャリアのために複数の変調器及び発振器を用いる代わりに離散逆フーリエ変換（ＩＤＦＴ）及び１つの変調器を用いて実施されてもよい。復調も、サブキャリアのために複数のフィルタ及び発振器を用いる代わりに、離散フーリエ変換（ＤＦＴ）を用いて達成される。サブキャリア・チャネルの間隔は、直交性を保証するため、シンボルの観測期間の逆数の整数倍である。
【０００６】
従来のＳＣ−ＦＤＭＡ送信機は、自身の伝送電力を自身が用いる全てのサブキャリアに均一に割り当てる。異なるサブキャリアは雑音及び干渉のレベルの変化を経験しうるので、信号対干渉及び雑音（ＳＩＮＲ）比はサブキャリアに渡って変化し、特定のサブキャリアが比較的低いＳＩＮＲを有しうる。
【発明の概要】
【発明が解決しようとする課題】
【０００７】
本発明は、伝送システム内の電力割り当てのためのシステム及び方法を提供する。
【課題を解決するための手段】
【０００８】
本開示の幾つかの実施形態によると、方法は、複数のサブキャリアのそれぞれのチャネル品質を決定する段階を有してもよい。各個々のサブキャリアのチャネル品質は、個々のサブキャリアの信号対干渉及び雑音比をサブキャリアに割り当てられた電力で割ったものに等しい。当該方法は、複数のサブキャリアの部分集合に電力を割り当てる段階を有してもよい。前記部分集合の各個々のサブキャリアは、該部分集合に含まれない各個々のサブキャリアよりも良いチャネル品質を有する。当該方法は、前記部分集合の各個々のサブキャリアで信号を送信する段階を更に有してもよい。
【０００９】
本開示の１又は複数の実施形態の技術的利点は、無線通信要素の信号対干渉及び雑音比の向上を有しうる。
【００１０】
理解されるべき点は、本開示の種々の実施例が教示される技術的利点の一部、全てを有してよく、又は何れも有さなくてもよいことである。更に、本開示の他の技術的利点は、添付の図面、説明、及び特許請求の範囲から当業者に直ちに明らかである。
【００１１】
本開示並びにその特徴及び利点のより完全な理解のため、添付の図と共に以下の説明を参照する。
【図面の簡単な説明】
【００１２】
【図１】本開示の特定の実施形態による例である無線通信システムのブロック図を示す。
【図２】本開示の特定の実施形態による例である無線通信要素の選択された構成要素のブロック図を示す。
【図３】本開示の特定の実施形態によるアクティブなサブキャリアの最適な集合を決定する例である方法のフローチャートを示す。
【発明を実施するための形態】
【００１３】
図１は、本開示の特定の実施形態による例である無線通信システム１００のブロック図を示す。システム１００は、ＳＣ−ＦＤＭＡシステム又は他の適切な無線通信システムであってもよい。簡単のため、２つの端末１１０及び２つの基地局１２０のみが図１に示される。端末１１０は、遠隔局、移動局、アクセス端末、ユーザ機器（ＵＥ）、無線通信機器、携帯電話又は特定の他の用語として表されてもよい。基地局１２０は、固定局であってもよく、アクセス・ポイント、ＮｏｄｅＢ又は特定の他の用語として表されてもよい。
【００１４】
図１中、各端末１１０は、複数の送信元から同時に信号を受信するように示される。ここで、送信元は基地局１２０であってもよい。特定の実施形態では端末１１０は送信元であってもよい。概して、端末１１０は、ゼロ、１つ又は複数の送信元から如何なる瞬間でも信号を受信してもよい。
【００１５】
図２は、本開示の特定の実施形態による例である送信及び／又は受信要素２００（例えば、端末１１０、基地局１２０又は衛星１３０）の選択された構成要素のブロック図を示す。要素２００は、伝送経路２０１及び／又は受信経路２２１を有してもよい。要素２００の機能に依存して、要素２００は送信機、受信機又は通信機と考えられてもよい。更に、特定の実施形態では、送信経路２０１は送信機と考えられ、受信経路２２１は受信機と考えられてもよい。
【００１６】
図２に示されるように、要素２００はデジタル回路２０２を有してもよい。デジタル回路２０２は、受信経路２２１を介して受信されたデジタル信号及び情報を処理するよう構成された、及び／又は送信経路２０１を介して送信されるための信号及び情報を処理するよう構成された如何なるシステム、機器又は装置を有してもよい。このようなデジタル回路２０２は、１又は複数のマイクロプロセッサ、デジタル信号プロセッサ及び／又は他の適切な素子を有してもよい。
【００１７】
送信経路２０１は、シリアル−パラレル変換器２０４、離散フーリエ変換ブロック２０６、サブキャリア・マッピング・ブロック２０８、離散逆フーリエ変換ブロック２１０及びパラレル−シリアル変換器２１２を有してもよい。シリアル−パラレル変換器２０４は、Ｎ点（例えばＸ０，Ｘ１，．．．，ＸＮ−１）のデータを表すシリアル・データ・ストリームを並列の離散データに変換するよう構成されてもよい。ここでＮ点のそれぞれは、サブキャリア・チャネルに対応してもよい。離散逆フーリエ変換ブロック２０６は、シリアル−パラレル変換器２０４からの並列の離散データを受信し、該データに離散逆フーリエ変換を実行してＮ点シンボルを生成するよう構成されてもよい。サブキャリア・マッピング・ブロック２０８は、離散逆フーリエ変換ブロック２０６からデータを受信し、Ｎ点シンボルをそれぞれ特有の帯域幅（例えば１５ｋＨｚ）を有するＭ個のサブキャリアにマッピングするよう構成されてもよい。
【００１８】
離散逆フーリエ変換ブロック２１０は、サブキャリア・マッピング・ブロック２０８により生成されたＭ個のサブキャリアに離散逆フーリエ変換を実行するよう構成されてもよい。パラレル−シリアル変換器２１２は、離散逆フーリエ変換ブロック２１０からパラレル・データを受信し、該パラレル・データをシリアル・データ・ストリームに変換してもよい。アンテナ２１８は、シリアル・データ・ストリームを受信し、該データ・ストリームを（例えば端末１１０、基地局１２０及び／又は衛星１３０のうちの１又は複数へ）送信してもよい。
【００１９】
送信経路２２１は、シリアル−パラレル変換器２３２、離散フーリエ変換ブロック２３０、逆サブキャリア・マッピング・ブロック２２８、離散逆フーリエ変換ブロック２２６、パラレル−シリアル変換器２２４及び最小平均２乗誤差（ＭＭＳＥ）受信機２２２を有してもよい。シリアル−パラレル変換器２３２、離散フーリエ変換ブロック２３０、逆サブキャリア・マッピング・ブロック２２８、離散逆フーリエ変換ブロック２２６、及びパラレル−シリアル変換器２２４は、それぞれパラレル−シリアル変換器２１２、離散逆フーリエ変換ブロック２１０、サブキャリア・マッピング・ブロック２０８、離散フーリエ変換ブロック２０６、及びシリアル−パラレル変換器２０４の逆の機能を実行してもよい。ＭＭＳＥ受信機２２２は、パラレル−シリアル変換器２２４からシリアル・データ・ストリームを受信し、シリアル・データ・ストリームの平均２乗誤差を最小化し、当分野で知られているように、それにより受信経路２２１の実効ＳＩＮＲを最大化し、エラー確率を低減するよう構成されてもよい。
【００２０】
当分野で知られているように、ＭＭＳＥ受信機２２２の出力ＳＩＮＲは次式で与えられる。
【数１】
0005794131.tif 000002
ここで、γｋはｋ番目のサブキャリアの物理ＳＩＮＲである。
【００２１】
上記の式を前提としてＭＭＳＥ受信機２２２のＳＩＮＲを最大化するために、次の項を最小化することが望ましい。
【数２】
0005794131.tif 000003
個々のサブキャリアｋのＳＩＮＲ  γｋは次式で与えられる。
【数３】
0005794131.tif 000004
ここで、Ｐはサブチャネルｋの送信信号電力、｜Ｃｋ｜２は特定のサブチャネルｋのチャネル特性を電力形式で表したもの、
【数４】
0005794131.tif 000005
は雑音干渉電力である。チャネル特性は、信号を送信する要素２００のサブキャリア・マッピング・ブロック２０８及び逆フーリエ変換ブロック２１０、送信経路２０１と受信経路２２１との間の伝送中の周波数領域の物理チャネル係数、並びに信号を受信する要素２００の離散逆フーリエ変換ブロック２３０及び逆サブキャリア・マッピング・ブロック２２８の集約効果を表す。チャネル特性及び雑音干渉電力は制御可能でないかもしれない。しかしながら、サブチャネルの送信電力はサブチャネルのＳＩＮＲを低減するために制御されてもよい。
【００２２】
アクティブなサブキャリアで送信された全電力ＰＴが一定のままであるとすると、各サブキャリアの送信電力は、ＰＴを前提として個々に調整されてもよい。ラグランジュの未定係数法をＰＴ及びチャネル品質ｄｋに適用することにより、次式を得る。
【数５】
0005794131.tif 000006
サブキャリアｉの最適送信電力ｐｉは、次式の通りである。
【数６】
0005794131.tif 000007
【００２３】
必然的にｐｉ≧０なので、最適電力ｐｉは次のようになる。
【数７】
0005794131.tif 000008
ここで、ｋはアクティブなサブキャリアの集合であり、
【数８】
0005794131.tif 000009
はユーザに割り当てられた全ての非アクティブなサブキャリアを含むｋの補集合である。
【００２４】
図３は、本開示の特定の実施形態によるアクティブなサブキャリアの最適な集合を決定する例である方法３００のフローチャートを示す。方法３００は、無線通信要素２００を用いて実施されてもよい。特定の実施形態では、方法３００は、部分的に又は全部をコンピュータ可読媒体に具現化されるソフトウェア及び／又はファームウェアで実施されてもよい。例えば、デジタル回路２０２はプロセッサ及びメモリを有し、メモリは方法３００を実行するための実行可能な命令を格納し、プロセッサは方法３００を実行するために該命令を実行してもよい。
【００２５】
段階３０２で、プロセッサ又は無線通信要素２００の他の適切な構成要素は、ユーザに割り当てられたＮ個のサブキャリアの集合Ａをチャネル品質ｄｉの降順に並べ替えてよく、次にｄｉ＞ｄｊ、ｉ＜ｊのようにサブキャリアの番号を付け直してもよい。このように番号を付け直されたキャリアでは、インデックスＫが存在し、ｋ＝｛１，２，．．．，Ｋ｝且つ
【数９】
0005794131.tif 000010
であり、次式が真である。
【数１０】
0005794131.tif 000011
【００２６】
段階３０４で、プロセッサ又は無線通信要素２００の他の適切な構成要素は、二分探索法を実行してアクティブなサブキャリアの最適な集合ｋを決定してもよい。二分探索法を実行するために、プロセッサ又は無線通信要素２００の他の適切な構成要素は、次の関数を定めてもよい。
【数１１】
0005794131.tif 000012
ここで、Ｉ（ｘ）は指標関数であり、Ｉ（ｘ）＝１は状態ｘが真であり、Ｉ（ｘ）＝０は状態ｘが偽である。プロセッサ又は他の適切な構成要素は、以下の手順又は如何なる他の適切な手順に従って二分探索法を実行してもよい。
【００２７】
１．Ｃ（Ｎ）＝１ならば、Ｋ＝Ｎに設定し、終了する
２．ｋＬ＝１に設定し、ｋＨ＝Ｎに設定する
３．ｋＨ＝ｋＬ＝１ならば、Ｋ＝ｋＬに設定し、終了する
４．ｋ＝ｍｉｎ（（ｋＬ＋ｋＨ）／２，Ｎ−１）に設定する
５．Ｃ（ｋ）＝１且つＣ（ｋ＋１）＝０ならば、Ｋ＝ｋに設定し、終了する
６．Ｃ（ｋ＋１）＝１ならば、ｋＬ＝ｋ＋１に設定し、３行目に行く
７．Ｃ（ｋ）＝０ならば、ｋＨ＝ｋ−１に設定し、３行目に行く
【００２８】
１行目で、プロセッサ又は無線通信要素２００の他の適切な構成要素は、集合ＡのＮ番目の要素が条件Ｃを満たすかどうかを決定してもよい。満たす場合、アクティブなサブキャリアの集合ｋはＮ個のサブキャリア全てを有する。従って、ＫはＮに等しく設定されてもよく、手順は終了してもよい。
【００２９】
２行目で、プロセッサ又は無線通信要素２００の他の適切な構成要素は、二分探索法の初期境界を設定するために、値ｋＬ及びｋＨを集合Ａの最初及び最後のメンバに初期化してもよい。
【００３０】
３行目で、プロセッサ又は無線通信要素２００の他の適切な構成要素は、二分探索法の次に存在する境界を表す変数ｋＬ及びｋＨが１だけ異なる（例えば、隣接するサブキャリアを表す）かどうかを決定してもよい。１だけ異なる場合、アクティブなキャリアの集合ｋは最初のｋＬ個のサブキャリアを有する。次に、ＫはｋＬに等しく設定されてもよく、手順は終了してもよい。
【００３１】
４行目で、プロセッサ又は無線通信要素２００の他の適切な構成要素は、一時的数値変数ｋを（ｉ）ｋＬ＋ｋＨを２で割った量、（ｉｉ）Ｎ−１のうちの最小値に等しく設定してもよい。従って、変数ｋは次に存在する探索空間の中ほどに設定される。
【００３２】
５行目で、プロセッサ又は無線通信要素２００の他の適切な構成要素は、Ｃ（ｋ）が１に等しく且つＣ（ｋ＋１）が０に等しいかどうかを決定してもよい。等しい場合、アクティブなキャリアの集合ｋは最初のｋ個のサブキャリアを有する。次に、Ｋはｋに等しく設定されてもよく、手順は終了してもよい。
【００３３】
６行目で、プロセッサ又は無線通信要素２００の他の適切な構成要素は、Ｃ（ｋ＋１）が１に等しいかどうかを決定してもよい。等しい場合、アクティブなキャリアの集合ｋは少なくとも最初のｋ＋１個のサブキャリアを有する。従って、（探索空間の下限の境界をリセットするために）ｋＬはｋ＋１に設定されてもよく、手順は３行目に戻ってもよい。
【００３４】
７行目で、プロセッサ又は無線通信要素２００の他の適切な構成要素は、Ｃ（ｋ）＝０かどうかを決定してもよい。真の場合、アクティブなキャリアの集合ｋは最初のｋ−１個のサブキャリアしか有さない。次に、（探索空間の上限の境界をリセットするために）ｋＨはｋ-１に設定されてもよく、手順は３行目に戻ってもよい。
【００３５】
システム１００の構成要素は、インタフェース、ロジック、メモリ及び／又は他の適切な構成要素を有してもよい。インタフェースは入力を受信し、出力を送信し、入力及び／又は出力を処理し及び／又は他の適切な動作を実行する。インタフェースはハードウェア及び／又はソフトウェアを有してもよい。
【００３６】
ロジックは、構成要素の動作を実行し、例えば命令を実行して入力から出力を生成する。ロジックはハードウェア、ソフトウェア及び／又は他のロジックを有してよい。ロジックは、１又は複数の有形のコンピュータ可読記憶媒体内に符号化されてもよく、コンピュータにより実行されたときに動作を実行してもよい。プロセッサのような特定のロジックは、構成要素の動作を管理してもよい。プロセッサの例には、１又は複数のコンピュータ、１又は複数のマイクロプロセッサ、１又は複数のアプリケーション及び／又は他のロジックがある。
【００３７】
メモリは情報を格納する。メモリは１又は複数の有形のコンピュータ可読な及び／又はコンピュータにより実行可能な記憶媒体を有してもよい。メモリの例には、コンピュータ・メモリ（例えば、ランダム・アクセス・メモリ（ＲＡＭ）又は読み出し専用メモリ（ＲＯＭ）、大容量媒体（例えば、ハードディスク）、着脱可能記憶媒体（例えば、コンパクト・ディスク（ＣＤ）又はデジタル・ビデオ・ディスク（ＤＶＤ）、データベース及び／又はネットワーク記憶装置（例えば、サーバ）、及び／又は他のコンピュータ可読媒体））がある。
【００３８】
本開示の範囲から逸脱することなくシステム１００に対し変更、追加又は省略が行われてもよい。システム１００の構成要素は統合されてもよく、又は分離されてもよい。更に、システム１００の動作は更に多くの、更に少ない又は他の構成要素により実行されてもよい。本願明細書で用いられるように、「各」の語はセットの各構成要素、又はセットの下位セットの各構成要素を表す。
【００３９】
本開示はいくつかの実施形態と共に記載されたが、種々の変化及び変更が当業者に提案されてもよい。本発明は、添付の特許請求の範囲に包含される全ての変化及び変更を包含する。
【符号の説明】
【００４０】
１００  システム
１１０  端末
１２０  基地局
２００  要素
２０１  伝送経路
２０２  デジタル回路
２０４  シリアル−パラレル変換器
２０６  離散フーリエ変換ブロック
２０８  サブキャリア・マッピング・ブロック
２１０  離散逆フーリエ変換ブロック
２１２  パラレル−シリアル変換器
２２１  受信経路
２２２  最小平均２乗誤差（ＭＭＳＥ）受信機
２２４  パラレル−シリアル変換器
２２６  離散逆フーリエ変換ブロック
２２８  逆サブキャリア・マッピング・ブロック
２３０  離散フーリエ変換ブロック
２３２  シリアル−パラレル変換器
【図１】
0005794131.tif 000021
【図２】
0005794131.tif 000022
【図３】
0005794131.tif 000023